(57)【特許請求の範囲】
【請求項１】
電圧入力部から入力されるアナログ電圧信号を電圧測定レンジ回路にて所定に増幅または減衰して、第１Ａ／Ｄ変換器によりデジタルの電圧データに変換するとともに、電流入力部から入力されるアナログ電流信号を電流測定レンジ回路にて所定に増幅または減衰して、第２Ａ／Ｄ変換器によりデジタルの電流データに変換し、電力演算部により上記電圧データと上記電流データとから瞬時電力を算出し、制御手段にて上記瞬時電力を所定時間積算し、その積算電力を出力する測定装置において、
上記電圧入力部側の上記電圧測定レンジ回路および上記第１Ａ／Ｄ変換器と、上記電流入力部側の上記電流測定レンジ回路および上記第２Ａ／Ｄ変換器と、上記瞬時電力を算出する電力演算部とを一つの電力演算処理ユニットとして、上記電圧入力部と上記電流入力部とに対して、複数の上記電力演算処理ユニットが並列的に接続されており、上記電圧測定レンジ回路および／または上記電流測定レンジ回路には、上記各電力演算処理ユニットごとに異なるレンジ倍率が設定されており、
上記制御手段は、上記測定レンジ回路の出力を監視し、上記アナログ電圧信号もしくは上記アナログ電流信号に対して最適なレンジ倍率を有する上記測定レンジ回路を含む上記電力演算処理ユニットを特定ユニットに指定し、上記各電力演算処理ユニットから出力される上記瞬時電力の中から、上記特定ユニットより出力される上記瞬時電力を上記積算電力用の瞬時電力として選択することを特徴とする測定装置。
【請求項２】
上記制御手段は、上記特定ユニットごとに求められた瞬時電力の積算小計値の一部または全部を出力することを特徴とする請求項１に記載の測定装置。
【請求項３】
上記制御手段は、上記アナログ電圧信号もしくは上記アナログ電流信号のピークオーバーが発生していない上記測定レンジ回路が複数ある場合、測定レンジに対する信号波形の振幅率が最も大きな測定レンジ回路を最適なレンジ倍率を有する測定レンジ回路とすることを特徴とする請求項１または２に記載の測定装置。
【請求項４】
上記各測定レンジ回路には、異なるレンジ倍率が降順または昇順に設定されており、上記制御手段は、その高倍率の測定レンジ回路側からピークオーバーが発生しているかどうかを判定して行き、ピークオーバーが発生していない最初の測定レンジ回路を上記最適なレンジ倍率を有する測定レンジ回路とすることを特徴とする請求項３に記載の測定装置。
【発明の詳細な説明】
【技術分野】
【０００１】
本発明は測定装置に関し、さらに詳しく言えば、測定レンジをスイッチ等により切り替えることなく、入力信号に応じた適切な測定レンジにて積算電力値が得られるようにした測定装置、特には積算電力の測定装置に関するものである。
【背景技術】
【０００２】
図４に示すように、積算電力計は、その基本的な構成として、アナログの入力電圧Ｖと入力電流Ｉとを、それぞれ、測定レンジ回路１１ａ，１１ｂにより所定に増幅し、Ａ／Ｄ変換器１２ａ，１２ｂにてデジタルの２値データに変換したのち、次段の電力演算部１３で、電圧，電流の各データから瞬時電力（有効電力）Ｗを算出する。
【０００３】
そして、加算器１４にて例えばその１周期分の瞬時電力Ｗを加算し、制御部であるＣＰＵ１５で、その加算値Ｘをこれまでの合計値Ｔに加算して、積算開始時からの積算値（積算電力値）として表示部１６に表示する。
【０００４】
オートレンジ機能を有する機種では、Ａ／Ｄ変換器１２ａ，１２ｂの出力段に、レンジ判定回路１７ａ，１７ｂが設けられており、電力測定中に入力電圧Ｖ，入力電流Ｉが変化して、測定レンジ回路１１ａ，１１ｂのレンジ倍率が不適合になった場合には、レンジ変更として、そのレンジ倍率を適宜切り替えるようにしている。
【０００５】
一例として、測定レンジ回路１１ａ，１１ｂは、複数の抵抗素子を含むラダー回路からなり、その抵抗素子の一つを電子的または機械的なスイッチにて選択することにより、所望とするレンジ倍率が選択される。
【０００６】
しかしながら、電力測定中にレンジ変更が行われると、その変更（スイッチ切替）時間が僅かであるにしても、その間の測定が停止（不定値）となるため、表示部１６に表示される積算値は、確度保証がなく誤差計算ができない参考値となる。
【０００７】
このような場合、オートレンジ機能を有する実機では、表示された積算値がレンジ変更時を含む参考値であることをユーザーに知らしめるため、一例として、表示部１６に「ただ今、レンジが変更されました」等の表示を行うようにしている。
【０００８】
この点について、特許文献１には、入力電圧と入力電流とを、それぞれ、レンジ切替回路およびＡ／Ｄ変換器を介してＤＳＰ（デジタルシグナルプロセッサ）に与えて電力を測定する電力測定装置において、測定中に測定レンジの切り替えが行われたとしても、測定値が途切れないようにすることが提案されている。
【０００９】
すなわち、特許文献１に記載されている発明においては、レンジ切替回路の入力段とＤＳＰの入力段との間（図４で言えば、測定レンジ回路１１ａ，１１ｂの入力段と電力演算部１３の入力段と間）に、補助Ａ／Ｄ変換器を含むバイパス回路を設けて、レンジ切替時には、補助Ａ／Ｄ変換器を介してＤＳＰ（電力演算部）に測定データを取り込むようにしている。
【００１０】
この場合、補助Ａ／Ｄ変換器の入力電圧・入力電流は、定格電圧・定格電流入力時でも、この補助Ａ／Ｄ変換器の最大入力を超えない値となっていることから、レンジ切替時においても、電圧・電流の各測定データを得ることができる。
【先行技術文献】
【特許文献】
【００１１】
【特許文献１】特開２００２−１９６０２３号公報
【発明の概要】
【発明が解決しようとする課題】
【００１２】
しかしながら、上記特許文献１に記載の発明によると、積算電力値には、レンジ変更中に補助Ａ／Ｄ変換器を介して得られたデータによる積算値が含まれるため、最適なレンジでの測定に比べて測定精度が落ちる、という問題がある。
【００１３】
したがって、本発明の課題は、電力測定中において、入力電圧・入力電流が変動したとしても、スイッチ等によりレンジ変更をすることなく、常に最適なレンジでの測定が連続して行えるようにすることにある。
【課題を解決するための手段】
【００１４】
上記課題を解決するため、本発明は、電圧入力部から入力されるアナログ電圧信号を電圧測定レンジ回路にて所定に増幅または減衰して、第１Ａ／Ｄ変換器によりデジタルの電圧データに変換するとともに、電流入力部から入力されるアナログ電流信号を電流測定レンジ回路にて所定に増幅または減衰して、第２Ａ／Ｄ変換器によりデジタルの電流データに変換し、電力演算部により上記電圧データと上記電流データとから瞬時電力を算出し、制御手段にて上記瞬時電力を所定時間積算し、その積算電力を出力する測定装置において、
上記電圧入力部側の上記電圧測定レンジ回路および上記第１Ａ／Ｄ変換器と、上記電流入力部側の上記電流測定レンジ回路および上記第２Ａ／Ｄ変換器と、上記瞬時電力を算出する電力演算部とを一つの電力演算処理ユニットとして、上記電圧入力部と上記電流入力部とに対して、複数の上記電力演算処理ユニットが並列的に接続されており、上記電圧測定レンジ回路および／または上記電流測定レンジ回路には、上記各電力演算処理ユニットごとに異なるレンジ倍率が設定されており、上記制御手段は、上記測定レンジ回路の出力を監視し、上記アナログ電圧信号もしくは上記アナログ電流信号に対して最適なレンジ倍率を有する上記測定レンジ回路を含む上記電力演算処理ユニットを特定ユニットに指定し、上記各電力演算処理ユニットから出力される上記瞬時電力の中から、上記特定ユニットより出力される上記瞬時電力を上記積算電力用の瞬時電力として選択することを特徴としている。
【００１５】
本発明の好ましい態様によれば、上記制御手段は、上記特定ユニットごとに求められた瞬時電力の積算小計値の一部または全部を出力する。
【００１６】
本発明において、上記制御手段は、上記アナログ電圧信号もしくは上記アナログ電流信号のピークオーバーが発生していない上記測定レンジ回路が複数ある場合、測定レンジに対する信号波形の振幅率が最も大きな測定レンジ回路を最適なレンジ倍率を有する測定レンジ回路とする。
【００１７】
また、本発明において、上記各測定レンジ回路には、異なるレンジ倍率が降順もしくは昇順に設定されており、上記制御手段は、その高倍率の測定レンジ回路側からピークオーバーが発生しているかどうかを判定して行き、ピークオーバーが発生していない最初の測定レンジ回路を上記最適なレンジ倍率を有する測定レンジ回路とする。
【００１８】
上記電圧もしくは電流の入力信号がピークオーバーしているかどうかを判定するうえで、上記各電力演算ユニットは、上記入力信号のピーク値を検出するピークホールド回路を備えていることが好ましい。
【発明の効果】
【００１９】
本発明によれば、電圧入力部側の電圧測定レンジ回路および第１Ａ／Ｄ変換器と、電流入力部側の電流測定レンジ回路および第２Ａ／Ｄ変換器と、瞬時電力を算出する電力演算部とを一つの電力演算処理ユニットとして、電圧入力部と電流入力部とに対して、複数の電力演算処理ユニットを並列的に接続し、電圧および／または電流の測定レンジ回路に各電力演算処理ユニットごとに異なるレンジ倍率を設定し、瞬時電力を積算して積算電力を求めるにあたって、各測定レンジ回路の出力を監視し、アナログ電圧信号もしくはアナログ電流信号に対して最適なレンジ倍率を有する測定レンジ回路を含む電力演算処理ユニットを特定ユニットに指定し、各電力演算処理ユニットから出力される瞬時電力の中から、特定ユニットより出力される瞬時電力を積算電力用の瞬時電力として選択するようにしたことにより、電力測定中において、入力電圧・入力電流が変動したとしても、スイッチ等によりレンジ変更をすることなく、常に最適なレンジでの測定を連続して行うことができる。
【００２０】
また、上記特定ユニットごとに求められた瞬時電力の積算小計値の一部または全部を表示部および／または外部機器に出力することにより、被測定機器の各モードごとの積算電力（例えば、待機時モードでの積算電力、動作時モードでの積算電力等）を測定することができ、被測定機器の消費電力を解析するうえで役立つ。
【図面の簡単な説明】
【００２１】
【図１】本発明による積算電力計の実施形態の構成を示す模式な回路図。
【図２】上記実施形態で実行される動作を説明するためのフローチャート。
【図３】最適な測定レンジ回路を選択する際の各測定レンジ回路でのレンジ範囲と波形例との関係を示す模式図。
【図４】電力演算ユニットの好ましい構成を示す模式的な回路図。
【図５】先行技術として従来の積算電力計の構成を示す模式な回路図。
【発明を実施するための形態】
【００２２】
次に、図１ないし図４を参照して、本発明の実施形態について説明するが、本発明はこれに限定されるものではない。
【００２３】
ここで説明する実施形態では、本発明の測定装置を積算電力計としており、図１に示すように、この実施形態に係る積算電力計１によると、電圧入力部Ｖｉｎと電流入力部Ｉｉｎとに対して、第１ないし第ｎの複数の電力演算処理ユニット１０ａ〜１０ｎが並列的に接続されている。各電力演算処理ユニット１０ａ〜１０ｎは同一構成であり、特に区別する必要がない場合には、その総称として電力演算処理ユニット１０と言う。
【００２４】
各電力演算処理ユニット１０には、電圧入力部Ｖｉｎに直列として接続される電圧測定レンジ回路１１ａおよび第１Ａ／Ｄ変換器１２ａと、電流入力部Ｉｉｎに対して直列に接続される電流測定レンジ回路１１ｂおよび第２Ａ／Ｄ変換器１２ｂと、電力演算部１３とが含まれている。
【００２５】
すなわち、各電力演算処理ユニット１０において、電圧入力部Ｖｉｎから入力されるアナログ電圧Ｖａは、電圧測定レンジ回路１１ａにて所定のレンジ倍率で増幅された後、第１Ａ／Ｄ変換器１２ａでデジタルの２値データからなる電圧Ｖｄに変換される。
【００２６】
同様に、電流入力部Ｉｉｎから入力されるアナログ電流Ｉａは、電流測定レンジ回路１１ｂにて所定のレンジ倍率で増幅された後、第２Ａ／Ｄ変換器１２ｂでデジタルの２値データからなる電流Ｉｄに変換される。
【００２７】
電力演算部１３は、各Ａ／Ｄ変換器１２ａ，１２ｂにてＡ／Ｄ変換された電圧Ｖｄと電流Ｉｄとから、瞬時電力Ｗ（＝Ｖｄ×Ｉｄ）を算出する。電力演算部１３には、例えばＤＳＰ（デジタルシグナルプロセッサ）を用いることができる。
【００２８】
上記のように、各電力演算処理ユニット１０には、電圧測定レンジ回路１１ａ，電流測定レンジ回路１１ｂ，第１および第２のＡ／Ｄ変換器１２ａ，１２ｂ，電力演算部１３が含まれているが、これらの各部材を電力演算処理ユニット１０ａ〜１０ｎごとに区別する必要がある場合には、各部材の参照符号に、各部材が属する電力演算処理ユニット１０ａ〜１０ｎの識別符号ａ〜ｎを付す。
【００２９】
例えば、電力演算処理ユニット１０ａと１０ｎについて言えば、電圧測定レンジ回路を１１ａａ（１１ａｎ），電流測定レンジ回路を１１ｂａ（１１ｂｎ），第１および第２のＡ／Ｄ変換器を１２ａａ，１２ｂａ（１２ａｎ，１２ｂｎ），電力演算部を１３ａ（１３ｎ）とする。
【００３０】
この実施形態に係る積算電力計１おいて、各電力演算処理ユニット１０出力側は、制御手段２０に接続されている。制御手段２０は、ＣＰＵ（中央演算処理ユニット）やマイクロコンピュータ等からなるデータ処理部２１と、各電力演算処理ユニット１０（１０ａ〜１０ｎ）ごとに、その瞬時電力を加算して積算小計値として記憶するメモリ部２２（２２ａ〜２２ｎ）とを備えている。
【００３１】
データ処理部２１は、最適なレンジ回路を選択する機能、各電力演算部１３ａ〜１３ｎにて算出された瞬時電力Ｗを各電力演算処理ユニット１０ごとに加算する機能、積算電力値等の測定結果を表示部３０に表示する機能等を備えている。また、制御手段２０に、図示しない所定のインターフェイスを介して外部機器（例えば、パソコン）を接続することもできる。
【００３２】
次に、積算電力の測定手順の一例について説明する。まず、測定を開始する前に、各電力演算処理ユニット１０の電圧測定レンジ回路１１ａおよび／または電流測定レンジ回路１１ｂに所定のレンジ倍率を設定する。
【００３３】
この実施形態での測定対象は商用電源であり、商用電源の場合、電圧は余り変動しないため、この実施形態では、各電力演算処理ユニット１０の電圧測定レンジ回路１１ａについては、そのレンジ倍率は同一とし、電流測定レンジ回路１１ｂには、各電力演算処理ユニット１０ごとに、例えば、１倍，２倍，５倍，１０倍…のように、異なるレンジ倍率を設定する。この設定はユーザーによる。
【００３４】
図２のフローチャートを参照して、この実施形態での動作の一例を説明するが、各電力演算処理ユニット１０（１０ａ〜１０ｎ）において、Ａ／Ｄ変換器１２ａ，１２ｂ、電力演算部１３の各動作はデータ処理部２１により制御され、Ａ／Ｄ変換器１２ａ，１２ｂは、同一のタイミングでデータサンプリングを行い、また、各電力演算部１３（１３ａ〜１３ｎ）は、同一周期について同時に瞬時電力Ｗを算出する。
【００３５】
図示しない操作部等からの測定開始の指示により、積算電力の測定が開始されると、各電力演算処理ユニット１０の電圧測定レンジ回路１１ａ，電流測定レンジ回路１１ｂに、電圧入力部Ｖｉｎおよび電流入力部Ｉｉｎの電圧Ｖａ，電流Ｉａが同時に入力され、次段のＡ／Ｄ変換器１２ａ，１２ｂにより同一のタイミングでＡ／Ｄ変換される。
【００３６】
そして、各電力演算処理ユニット１０の電力演算部１３にて、上記Ａ／Ｄ変換後の電圧Ｖｄ，電流Ｉｄとの積（Ｖｄ×Ｉｄ）から瞬時電力Ｗが同一の周期（電圧波形もしくは電流波形を基準とした少なくとも１周期で、この例では１周期）にわたって算出され、各電力演算部１３ａ〜１３ｎより、１周期分の瞬時電力Ｗａ〜Ｗｎがデータ処理部２１に送出される。
【００３７】
データ処理部２１は、電力演算部１３からの瞬時電力Ｗａ〜Ｗｎを受けると、各電力演算処理ユニット１０の電流測定レンジ回路１１ｂａ〜１１ｂｎの出力監視モードに入り、電流測定レンジ回路１１ｂａ〜１１ｂｎの中から最適な測定レンジを探し出す。その一例を図３により説明する。
【００３８】
図３は、被測定電流Ｉａの信号波形と、レンジ範囲（上限値Ｕ，下限値Ｌ）との関係を示した図で、レンジ倍率は、図３（ａ）＞図３（ｂ）＞図３（ｃ）の順になっており、図３（ａ）は、レンジ倍率が大きく、被測定電流Ｉａがレンジ範囲を超えてピークオーバーになっている状態を示している。
【００３９】
これに対して、図３（ｂ），（ｃ）は、いずれも被測定電流Ｉａがレンジ範囲内に収まっているが、図３（ｂ）の方が、図３（ｃ）よりもレンジ倍率が大きいことから、レンジ範囲に対して信号波形が大きく振れており、測定レンジ範囲に対する信号波形の振幅率が大きく、測定レンジ範囲をより有効（フル）に使用している状態を示している。
【００４０】
ここで、図３（ａ）が、図１において、第１の電力演算処理ユニット１０ａにおける電流測定レンジ回路１１ｂａによるものであり、図３（ｂ）が、第２の電力演算処理ユニット１０ｂにおける電流測定レンジ回路１１ｂｂ、また、図３（ｃ）が、第３の電力演算処理ユニット１０ｃにおける電流測定レンジ回路１１ｂｃによるものであるとする。
【００４１】
そうすると、データ処理部２１は、図３（ｂ）の第２の電力演算処理ユニット１０ｂにおける電流測定レンジ回路１１ｂｂを最適な測定レンジとして選択し、その電力演算処理ユニット１０ｂの電力演算部１３ｂで算出された１周期分の瞬時電力値Ｗｂを、電力演算処理ユニット１０ｂに対応するメモリ部２２ｂに記憶する（すでに記憶されている瞬時電力値があれば、その瞬時電力値に今回値を加算して積算小計値とする）。なお、他の電力演算処理ユニット１０の電力演算部１３で算出された１周期分の瞬時電力値Ｗは採用しない。
【００４２】
各電流測定レンジ回路１１ｂａ〜１１ｂｎには、順不動にレンジ倍率が設定されてよいが、電流入力部Ｉｉｎに対して、図１のように、電流測定レンジ回路１１ｂａ〜１１ｂｎがこの順序で並列に接続されているとして、最初の第１番目の電流測定レンジ回路１１ｂａのレンジ倍率を最も大きくし、それ以降レンジ倍率を降順に漸次小さくなるように設定することが好ましい。
【００４３】
これによれば、データ処理部２１は、最適な測定レンジを探すにあたって、第１番目の電流測定レンジ回路１１ｂａ側からピークオーバーが発生しているかどうかを見て行き、ピークオーバーが発生していない最初の電流測定レンジ回路１１ｂを最適なレンジとして特定し、それ以降の電流測定レンジ回路１１ｂについては見る必要がなく、その分、最適なレンジを探し出す時間を短縮することができる。
【００４４】
最適な測定レンジを探す好ましい例としては、図４に示すように、各電力演算ユニット１０のＡ／Ｄ変換器１２ａ，１２ｂの出力側に、ピークホールド回路１４ａ，１４ｂを接続し、レンジ倍率の大きい測定レンジ回路から順に、ピークホールド回路よりピーク値を取得し、そのピーク値がＡ／Ｄ変換器の上限値（１２ビットのＡ／Ｄ変換器ならば４０９６）に達しているかどうかを判定し、ピーク値がＡ／Ｄ変換器の上限値に達していない最初のレンジ回路を最適レンジ回路とする。
【００４５】
上記とは反対に、ｎ番目の電流測定レンジ回路１１ｂｎのレンジ倍率が最も大きくなるように、レンジ倍率を昇順に設定してもよく、その場合には、ｎ番目の電流測定レンジ回路１１ｂｎ側からピークオーバーが発生しているかどうかを見て行けばよい。
【００４６】
以後同様に、データ処理部２１は、各電力演算部１３から１周期分の瞬時電力Ｗが出力されるたびに、最適な測定レンジを探しだし、例えばある周期において、最適な測定レンジが第２の電力演算処理ユニット１０ｂから例えば第１の電力演算処理ユニット１０ａの電流測定レンジ回路１１ｂａに変更されたとすると、データ処理部２１は、その電力演算処理ユニット１０ａの電力演算部１３ａで算出された１周期分の瞬時電力値Ｗａを、第１の電力演算処理ユニット１０ａに対応するメモリ部２２ａに記憶する（すでに記憶されている瞬時電力値があれば、その瞬時電力値に今回値を加算して積算小計値とする）。
【００４７】
データ処理部２１は、上記の動作を積算電力の終了時点まで繰り返し、最適な測定レンジが変更される都度、その最適な測定レンジの電力演算処理ユニット１０の電力演算部１３で算出された１周期分の瞬時電力値Ｗを、当該電力演算処理ユニット１０のメモリ部２２にΣＷのように加算しながら積算小計値を記憶する。そして、各メモリ部２２ａ〜２２ｎの積算小計値ａ〜ｎを加算し、そのそのトータル合計値Ｔを積算電力値として表示部３０に表示する。
【００４８】
そして、図示しない操作部等から測定終了の指示が出されるか、もしくは予め設定された測定時間が経過すると、積算を終了する。
【００４９】
なお、トータル合計値（積算電力値）Ｔを表示部３０に表示するにあたって、その内訳として、各電力演算処理ユニット１０ａ〜１０ｎの積算小計値ａ〜ｎを、好ましくはレンジ倍率またはレンジ範囲とともに表示することにより、被測定機器の各モードごとの積算電力（例えば、待機時モードでの積算電力、動作時モードでの積算電力等）を測定することができ、被測定機器の消費電力を解析するうえで役立つ。
【００５０】
上記実施形態では、各電力演算処理ユニット１０の電圧測定レンジ回路１１ａについては、そのレンジ倍率は同一とし、電流測定レンジ回路１１ｂに各電力演算処理ユニット１０ごとに異なるレンジ倍率を設定するようにしているが、例えば太陽電池による電源系統では、電圧も大きく変動することがあり得ることから、電圧測定レンジ回路１１ａａ〜１１ａｎにも、各電力演算処理ユニット１０ごとに異なるレンジ倍率が設定されてよい。
【００５１】
その場合、データ処理部２１は、被測定電圧Ｖａ，電流Ｉａの各信号波形がともにピークオーバーを起こしておらず、電圧，電流の各レンジ範囲内でともに振幅率（レンジ範囲に対する信号波形の振れ幅率）が最も大きい測定レンジ回路１１ａ，１１ｂを最適な測定レンジとして選択する。
【００５２】
なお、上記実施形態では、制御手段２０から出力される各積算値（小計値、合計値等）を表示部３０に表示（出力）するようにしているが、本発明には、制御手段２０から出力される上記各積算値を例えばＬＡＮやＧＰ−ＩＢ等の通信を介してパソコン等の外部機器に出力する態様や、所定のインターフェイスを介してＨＤＤやＵＳＢメモリ等の外部メディアに保存する態様も含まれる。
【００５３】
また、上記実施形態では、最適なレンジ倍率を有する測定レンジ回路を探す際に、図４に示すように、各電力演算ユニット１０のＡ／Ｄ変換器１２ａ，１２ｂの出力側に、ピークホールド回路１４ａ，１４ｂを接続し、そのピーク値に基づいて最適レンジ回路を選択するようにしているが、これとは別の手法として、例えば電力演算部１３ａ〜１３ｎに電力演算とともに電圧と電流の実効値演算機能を持たせ、データ処理部２１にて電圧、電流、電力値から最適レンジを決定し、対応したメモリ２２ａ〜２２ｎに加算するようにしてもよい。
【００５４】
以上説明したように、本発明によれば、電力測定中において、入力電圧・入力電流が変動したとしても、スイッチ等によりレンジ変更をすることなく、常に最適なレンジでの測定を連続して行うことができる。
【符号の説明】
【００５５】
１  積算電力計
１０（１０ａ〜１０ｎ）  電力演算処理ユニット
１１ａ（１１ａａ〜１１ａｎ）  電圧測定レンジ回路
１１ｂ（１１ｂａ〜１１ｂｎ）  電流測定レンジ回路
１２ａ（１２ａａ〜１２ａｎ）  第１Ａ／Ｄ変換器
１２ｂ（１２ｂａ〜１２ｂｎ）  第２Ａ／Ｄ変換器
１３（１３ａ〜１３ｎ）  電力演算部
２０  制御手段
２１  データ処理部
２２（２２ａ〜２２ｎ）  メモリ部
３０  表示部
Ｖｉｎ  電圧入力部
Ｉｉｎ  電流入力部
【図１】
0006373138.tif 000002
【図２】
0006373138.tif 000003
【図３】
0006373138.tif 000004
【図４】
0006373138.tif 000005
【図５】
0006373138.tif 000006